(57)【要約】【課題】従来の製氷器の氷の形状は、狭い口径の水筒やペットボトル等に入れるにはむいておらず、使用する氷の量と、製氷される氷の量に差異があり無駄が多く、また、製氷をする際に冷凍庫の中に製氷器を設置するための水平な平面を確保する必要があった。【解決手段】氷の形状を使用する水筒やペットボトル等の口径や高さに合わせた直径および高さの円柱形に製氷する。また、製氷器から水が漏れないように密封することで、製氷をする際に冷凍庫の中に製氷器を設置するための水平な平面を確保することなく、狭い隙間でもどんな角度でも設置でき製氷することができる。【選択図】図１
2011191018.tif 000002
【特許請求の範囲】
【請求項１】
高い熱伝導性を有する材質から形成される筒体とその筒体と密着して装着される可撓性を有する一対の蓋からなることを特徴とする製氷器。
【請求項２】
前記蓋は筒体の端部を全周にわたり内面および外面から挟み込むように形成された溝を有することを特徴とする請求項１記載の製氷器。
【請求項３】
蓋外周部の筒体との接触面全面にわたりリブを形成したことを特徴とする請求項１記載の製氷器。
【請求項４】
筒体がアルミニウムであることを特徴とする請求項１記載の製氷器。
【請求項５】
筒体が円柱であることを特徴とする請求項１記載の製氷器。
【請求項６】
蓋の外周は複数の平面で形成されることを特徴とする請求項２、３記載の製氷器。
【発明の詳細な説明】
【技術分野】
【０００１】
本発明は、冷凍冷蔵庫で使用する製氷に用いる製氷器に関するものである。
【背景技術】
【０００２】
従来の製氷器の形状は図３に示すように、水受皿の中に四角い形状の氷を作るための仕切りが設けられたものが多い。氷の形としては多角形、球状、星形など種々の型のものがあるが、コップに複数個投入できる大きさが一般的である。
器の形状が皿状のため、冷凍庫内の水平な平面に製氷器を置き凍結させている。
【０００３】
しかし、口径の小さい水筒やペットボトル等に氷を入れようとした場合、四角い氷では細かく砕く必要がある。また、氷をアイスピック等で砕くことは危険で手間がかかるという欠点があった。
そして、製氷器を水が溢れないよう水平に置くためのスペースを冷凍庫内に確保しなければならないという欠点もあった。
【０００４】
手軽に水筒やペットボトル等に氷を入れて冷やしたいという用途において、この欠点は作業性に関して大きな障害である。具体的には、氷を砕く時、砕いた氷が周りに飛び散ったり、手が冷たくなったり、また、水を張った製氷器を冷凍庫に水平に設置する時、水を溢すなどの問題があった。
【０００５】
この改善策として、製氷器の製氷部の形状を円柱形にして製氷する方法がある。しかしながらこの方法でも、製氷器を冷凍庫の中に水平に設置するスペースを確保する必要がある。また、一度に必要量以上の余分な氷ができ、凍結させる際下皿の製氷型に水を入れて上蓋の製氷型から水を溢れさせ凍結させるので余分な水を使用する等の無駄が多いという欠点があった。（特許文献１）
【先行技術文献】
【特許文献】
【０００６】
【特許文献１】登録実用新案第３０３５５２８号公報
【発明の概要】
【発明が解決しようとする課題】
【０００７】
以上の技術によれば、冷凍庫の中に製氷器を設置する水平なスペースを確保しなければならない欠点があった。そこで、この発明は、狭い口径の水筒等に入れることができる形状の氷を簡単につくることができ、冷凍庫の中に製氷器を設置する水平なスペースを確保すること無く製氷できる製氷器を提供することを課題とする。
【０００８】
また、氷を使用する容器の大きさに対して必要以上の余分な氷ができ、製氷する際水を溢れさせ凍結させるので余分な水を使用する等の無駄が多いという欠点に対して、氷を使用するそれぞれの容器の大きさに対してちょうど良い製氷器のサイズを選択することができ、製氷されて使用される水以外の無駄な水は使用しない製氷器を提供することを課題とする。
【０００９】
そして、合成樹脂で成型されている製氷器は熱伝導率が悪く製氷に時間がかかるという欠点に対して、製氷部は高い熱伝導を有する材質から形成され短時間で製氷することのできる製氷器を提供することを課題とする。
【課題を解決するための手段】
【００１０】
高い熱伝導性を有する材質から形成される筒体とその筒体と密着して装着される可撓性を有する一対の蓋からなることを特徴とする製氷器である。
【００１１】
前記蓋は筒体の端部を全周にわたり内面および外面から挟み込むように形成された溝を有することを特徴とする製氷器である。
【００１２】
蓋外周部の筒体との接触面全面にわたりリブを形成したことを特徴とする製氷器である。
【００１３】
筒体がアルミニウムであることを特徴とする製氷器である。
【００１４】
筒体が円柱であることを特徴とする製氷器である。
【００１５】
蓋の外周は複数の平面で形成されることを特徴とする製氷器である。
【発明の効果】
【００１６】
本発明の製氷器は、高い熱伝導率を有し軽く安価で表面にアルマイト処理ができ衛生的な材質のアルミニウムで形成された筒体を製氷部とすることで短時間に製氷できる。
【００１７】
筒体の両端に可撓性を有する一対の蓋で密着して装着することにより、製氷器の中の水が凍結し膨張しても膨張を蓋がスライドすることによって干渉し、また、冷凍庫の中にどのような角度で入れても製氷器に入れた水を漏らすことが無いので、冷凍庫内の狭い隙間等でも製氷できるという利点がある。
【００１８】
前記蓋は筒体の端部を全周にわたり内面および外面から挟み込むように形成された溝を有することにより、水が凍る際に膨張し蓋がスライドしても製氷された氷が筒体の端部の厚みにひっかかることなくスムースに製氷された氷を取り出すことができる。
【００１９】
蓋外周部の筒体との接触面全面にわたりリブを形成したことで水漏れの防止と蓋の開閉を容易に行うことができる。
【００２０】
筒体が円柱であるため、狭い口の水筒やペットボトル等にも入れやすい氷を製氷することができ、また、冷凍庫内の隙間等狭い空間で製氷することができる。そして、蓋を開閉する場合ねじりやすく開閉を容易に行うことができる。
【００２１】
蓋の外周が複数の平面で形成されることにより、蓋を開閉する場合手が滑ること無く開閉を容易に行うことができ、また、製氷器を平面の卓上等に置いても転がり落ちることが無い。そして冷凍庫から製氷器を取り出す時に蓋の平面をつまむことにより持ちやすく滑りづらい。
【００２２】
本発明の製氷器は、本体の直径や長さのバリエーションをもつことにより、色々な口径や高さの水筒やペットボトル等に対応することができるという利点がある。
【図面の簡単な説明】
【００２３】
【図１】この発明の一実施形態を示す斜視図である。
【図２】同、蓋勘合部分の拡大断面図である。
【図３】従来技術を示す斜視図である。
【発明を実施するための形態】
【００２４】
この発明の一実施形態を、図１に示す。
製氷器の筒体１は円柱形のアルミニウム製であり、氷を入れようとする水筒やペットボトルの口径や高さに合わせて種々用意し、筒体１の両端に四つの平面で形成されたポリエチレンエラストマやシリコーンなどで成型した蓋２を圧入密封している。
【実施例１】
【００２５】
図２は、本発明製氷器の実施例１の蓋２部分の拡大断面図であって、蓋２の部分の構造は、水が凍って膨張しても蓋２がスライドすることによって製氷器内の膨張する圧力を干渉し、水を漏らすこと無く製氷できる。
【００２６】
蓋２の内部には筒体１を圧入する時に筒体１の端部を全周にわたり内面および外面から挟み込むように形成された溝３が形成されており、この溝３によって凍結膨張時蓋２がスライドしても、蓋２と筒体１端部の厚み分の間に水が入り込む隙間ができず、氷を取り出す際に筒体１端部の厚みに氷が引っかかること無くスムースに取り出すことができる。また、蓋２外面部の筒体１との接触面全面にわたりリブ４が形成されており、このリブ４によって、筒体１と蓋２間に空間ができ、蓋２の開閉がスムースに行われ、また、水漏れの防止にも役立っている。
【００２７】
製氷器の筒体１はアルミニウム製であり、熱伝導率が高く、製氷時は早く凍結し、製氷器から氷を取り出す時は、筒体１の外側を流水で数秒流すだけでスムースに氷を取り出すことができる。
【００２８】
製氷器の蓋２の外周は四つの平面で形成されており、冷凍庫から取り出す時につまみやすく、筒体１から蓋２を外すとき手が滑らず回しやすく、また台所等の平面に置いても転がり落ちない利点がある。
【００２９】
製氷器の筒体１に抗菌防臭処理を行うことにより、衛生的な氷を製氷することができる。
【実施例２】
【００３０】
図１の実施例は、蓋２の外形は四つの平面を持った形状をしていたが、他の実施形態では蓋の形状を動物の顔やキャラクターの顔等、子供の喜ぶ形状に成型することもできる。
【実施例３】
【００３１】
また、図１の実施例の、片側の蓋２にアイスキャンデーの棒を挿入する穴を設け、その穴に棒を挿入し、水の変りにシロップ水を入れることにより、アイスキャンデーを作ることもできる。
【産業上の利用可能性】
【００３２】
水筒やポット、ペットボトル等に入れる氷を作ることができる。
また、蓋を開けること無くこのまま飲食物等を冷やすための冷却剤として使用することができる。
インテリアアクセサリーとして氷柱を作ることができる。
【符号の説明】
【００３３】
１  筒体
２  蓋
３  溝
４  リブ
【図１】
2011191018.tif 000003
【図２】
2011191018.tif 000004
【図３】
2011191018.tif 000005